(57)【要約】      （修正有）【課題】紙種に応じて定着開始温度を可変し、ファーストプリントアウトを速くすることが可能な画像形成装置を提供する。【解決手段】画像形成装置は、電子写真形成プロセスを用いて記録材上に画像を形成する画像形成装置であって、前記記録材の温度に基づいて判定して得られた記録材種に関する情報を格納する記憶手段と、前記記録材種に関する情報に応じて設定された定着開始温度で画像形成を実行する画像形成手段と、を備えることを特徴とする。そして、さらに、前記給紙カセットの抜差しを検知するカセット抜差し検知手段と、前記カセット抜差し検知手段が前記給紙カセットの抜差しを検知した場合、前記記憶手段が格納する前記記録材種に関する情報を更新する情報更新手段と、を備えるようにしてもよい。【選択図】図５
2006133310.tif 000002
【特許請求の範囲】
【請求項１】
電子写真形成プロセスを用いて記録材上に画像を形成する画像形成装置であって、
感光体と現像剤を用いて転写材上に現像剤像を形成する画像形成部と、
前記記録材上の前記現像剤像を定着させる定着手段と、
記録材を保持し、抜差し可能な給紙カセットと、
前記定着手段により定着された記録材の温度を検知する記録材温度検知手段と、
前記記録材温度検知手段によって検知された記録材温度から前記記録材の種類である記録材種を判定する記録材種判定手段と、
前記判定した記録材種に関する情報を格納する記憶手段と、
前記判定した記録材種に関する情報に応じて定着開始温度を変える定着開始温度制御手段と、
を備えることを特徴とする画像形成装置。
【請求項２】
さらに、前記給紙カセットの抜差しを検知するカセット抜差し検知手段と、
前記カセット抜差し検知手段が前記給紙カセットの抜差しを検知した場合、前記記憶手段が格納する前記記録材種に関する情報を更新する情報更新手段と、
を備えることを特徴とする請求項１に記載の画像形成装置。
【請求項３】
前記記憶手段は不揮発性メモリであることを特徴とするを請求項１又は２に記載の画像形成装置。
【請求項４】
前記記録材種判定手段は、画像形成の対象となるジョブの１枚目を用いて前記記録材種を判定することを特徴とする請求項１乃至３の何れか１項に記載の画像形成装置。
【請求項５】
前記記録材種判定手段は、試験的画像形成動作により前記記録材種を判定することを特徴とする請求項１乃至３の何れか１項に記載の画像形成装置。
【請求項６】
電子写真形成プロセスを用いて記録材上に画像を形成する画像形成装置であって、
前記記録材の温度に基づいて判定して得られた記録材種に関する情報を格納する記憶手段と、
前記記録材種に関する情報に応じて設定された定着開始温度で画像形成を実行する画像形成手段と、
を備えることを特徴とする画像形成装置。
【請求項７】
さらに、前記給紙カセットの抜差しを検知するカセット抜差し検知手段と、
前記カセット抜差し検知手段が前記給紙カセットの抜差しを検知した場合、前記記憶手段が格納する前記記録材種に関する情報を更新する情報更新手段と、
を備えることを特徴とする請求項６に記載の画像形成装置。
【請求項８】
前記記録材種判定手段は、画像形成の対象となるジョブの１枚目を用いて前記記録材種を判定することを特徴とする請求項６又は７に記載の画像形成装置。
【請求項９】
前記記録材種判定手段は、試験的画像形成動作により前記記録材種を判定することを特徴とする請求項６又は７に記載の画像形成装置。
【請求項１０】
前記記憶手段は不揮発性メモリであることを特徴とするを請求項６乃至９の何れか１項に記載の画像形成装置。
【請求項１１】
電子写真形成プロセスを用いて記録材上に画像を形成する画像形成方法であって、
感光体と現像剤を用いて転写材上に現像剤像を形成する画像形成工程と、
前記記録材上の前記現像剤像を定着させる定着工程と、
前記定着工程で定着された記録材の温度を検知する記録材温度検知工程と、
前記記録材温度検知工程で検知された記録材温度から前記記録材の種類である記録材種を判定する記録材種判定工程と、
前記判定した記録材種に関する情報を記憶手段に格納する記憶工程と、
前記判定した記録材種に関する情報に応じて定着開始温度を変える定着開始温度制御工程と、
を備えることを特徴とする画像形成方法。
【請求項１２】
電子写真形成プロセスを用いて記録材上に画像を形成する画像形成方法であって、
前記記録材の温度に基づいて判定して得られた記録材種に関する情報を記憶手段に格納する記憶工程と、
前記記録材種に関する情報に応じて設定された定着開始温度で画像形成を実行する画像形成工程と、
を備えることを特徴とする画像形成方法。
【発明の詳細な説明】
【技術分野】
【０００１】
本発明は、電子写真画像形成プロセスを用いた画像形成装置に関し、例えば、記録材に画像を形成する画像形成する画像形成部と、形成された画像を加熱する加熱装置と、記録材裏面温度検出手段を備えた画像形成装置に関するものである。
【背景技術】
【０００２】
複写機、レーザープリンタなどの画像形成装置は、一般的に普通紙、はがき、ボール紙、封書、ＯＨＰ用のプラスチック製薄板等のシート状記録材上に画像を形成する装置であり、現像剤（以下トナーと表記する）を静電的な画像形成手段によって記録材上にトナー像を形成した後、定着手段によって記録材を加熱及び加圧してトナー像を溶融固着させて画像形成するものである。
【０００３】
画像形成装置に使用される記録材の種類は、普通紙から封書用に特殊な表面処理を施された高級紙やＯＨＰ用の樹脂製シート等多種多様であり、さらに、このような記録材は装置の普及に伴って世界中で使用されるようになってきたため、各地で使用されるどのような記録材に対しても良好な画像を形成することができるよう対応する必要が生じている。特に画像形成条件に大きく影響する記録材種類と、定着温度は非常に重要な要素である。
【０００４】
従来、記録材種類の検知するための方法としては、記録材表面の粗さを検知する構成となっているものがある（例えば、特許文献１参照）。
【０００５】
以下、図１Ａ及びＢを用いて従来の方法について説明する。図１Ａ及びＢは、記録材表面の粗さを検知するための検出素子を示しており、Ｔ字型ＳＵＳ製金属１８、圧電素子１９、回転軸２０、Ｊ字型断面形状センサ２１を備えている。
【０００６】
このセンサ２１の固定端側は先端当接部よりも走査方向上流側に配置されているため、センサ２１の先端部は走査方向に対して逆方向に当接させるようにしている。また、センサ２１先端部は、記録材７表面との衝突による衝撃を含む振動を生じ、この間にＴ字型ＳＵＳ製金属１８部にも衝撃が伝達されるとともに上下双方向への反りを繰り返して振動する。
【０００７】
そのため、このＴ字型ＳＵＳ製金属１８に形成されている圧電素子１９に衝撃と変形による歪みが生じて十分な起電力が発生するようになり、パルス状に振動する電気信号が得られる。このとき、これらの振動の強度は記録材７がセンサ２１先端部をどのくらい強く押してＴ字型ＳＵＳ製金属１８部を大きく変形させることができるかの強さに比例しており、この記録材７がセンサ先端部を押す力の強度は記録材７表面とセンサ２１先端部に働く摩擦力の差に比例するため、記録材が粗いラフ紙は平滑な記録材よりもセンサ２１により強い振動を生じさせることができる。
【０００８】
このことから、逆にセンサ２１をこのように設定して表面粗さの異なる記録材７を走査することによって、圧電素子１９から得られる電気信号の強度差を比較することにより記録材７の表面粗さを識別することができる。
【０００９】
以上の特徴を有するセンサ２１を図２で示されるようにレーザビームプリンタなどの画像形成装置に設けることによって（記録材表面粗さ検知装置１７）、プリンタが自動的に使用される記録材の表面の状態を判断して各表面の状態に応じた定着温度や連続通紙時の温調切り替えシーケンスで定着を行うことができるようになり、従来のようにユーザーが記録材を判別して各記録材に適した定着温度や連続通紙時の温調切り替えシーケンスを選択する手間を省くことが可能となっている。
【特許文献１】特開２００２−３４０５１８号
【発明の開示】
【発明が解決しようとする課題】
【００１０】
しかしながら、記録材表面粗さ検知装置が設置されている箇所が内部にあるため、プリント１枚目の記録材の種類を判別するまでに時間がかかる。そのため、平滑な記録材である場合に最適な定着温度を決定するまでに時間を必要としファーストプリントアウトタイムを速くすることが困難であった。
【００１１】
本発明は、このような状況に鑑みてなされたものであり、平滑な記録材の場合などにファーストプリントアウトを速くすることが可能となる画像形成装置を提供するものである。
【課題を解決するための手段】
【００１２】
上記課題を解決するために、本発明による画像形成装置は、電子写真形成プロセスを用いて記録材上に画像を形成する画像形成装置であって、感光体と現像剤を用いて転写材上に現像剤像を形成する画像形成部と、前記記録材上の前記現像剤像を定着させる定着手段と、記録材を保持し、抜差し可能な給紙カセットと、前記定着手段により定着された記録材の温度を検知する記録材温度検知手段と、前記記録材温度検知手段によって検知された記録材温度から前記記録材の種類である記録材種を判定する記録材種判定手段と、前記判定した記録材種に関する情報を格納する記憶手段と、前記判定した記録材種に関する情報に応じて定着開始温度を変える定着開始温度制御手段と、を備えることを特徴とする。
【００１３】
また、本発明による画像形成装置は、電子写真形成プロセスを用いて記録材上に画像を形成する画像形成装置であって、前記記録材の温度に基づいて判定して得られた記録材種に関する情報を格納する記憶手段と、前記記録材種に関する情報に応じて設定された定着開始温度で画像形成を実行する画像形成手段と、を備えることを特徴とする。
【００１４】
本発明による画像形成方法は、電子写真形成プロセスを用いて記録材上に画像を形成する画像形成方法であって、感光体と現像剤を用いて転写材上に現像剤像を形成する画像形成工程と、前記記録材上の前記現像剤像を定着させる定着工程と、前記定着工程で定着された記録材の温度を検知する記録材温度検知工程と、前記記録材温度検知工程で検知された記録材温度から前記記録材の種類である記録材種を判定する記録材種判定工程と、前記判定した記録材種に関する情報を記憶手段に格納する記憶工程と、前記判定した記録材種に関する情報に応じて定着開始温度を変える定着開始温度制御工程と、を備えることを特徴とす。
【００１５】
また、本発明による画像形成方法は、電子写真形成プロセスを用いて記録材上に画像を形成する画像形成方法であって、前記記録材の温度に基づいて判定して得られた記録材種に関する情報を記憶手段に格納する記憶工程と、前記記録材種に関する情報に応じて設定された定着開始温度で画像形成を実行する画像形成工程と、を備えることを特徴とする。  さらなる本発明の特徴は、以下本発明を実施するための最良の形態および添付図面によって明らかになるものである。
【発明の効果】
【００１６】
以上説明したように、本発明によれば、検知した記録材種に応じて定着開始温度を変えることでファーストプリントアウトを速くできる効果がある。
【００１７】
また、記憶手段に格納されている記録材種検出値を、給紙カセットが抜差しされた時に更新することで記録材種誤検知を防止する効果がある。
【００１８】
さらに、記憶手段として不揮発性メモリを備えていることで、電源ＯＦＦしてＯＮした後においてもファーストプリントアウトを速くできる効果がある。
【発明を実施するための最良の形態】
【００１９】
以下、本発明の好適な実施の形態を添付図面を参照して説明する。なお、本発明における画像形成装置には、電子写真画像形成プロセスを用いて記録媒体に画像を形成する装置であり、少なくとも、例えば、電子写真複写機、電子写真プリンタ（例えばＬＥＤプリンタ、レーザビームプリンタ等）、電子写真ファクシミリ装置、及び電子写真ワードプロセッサー等が含まれるものとする。
【００２０】
＜第１の実施形態＞
第１の実施形態では、特に電子写真記録装置に用いられる加熱定着装置（以後定着器と表記する）を有する画像形成装置について説明するが、特に、画像形成装置のうちプリンタを例にとって説明する。従って、本発明の思想は、プリンタに限られず、可能な限りにおいていかなる画像形成装置にも適用される。
【００２１】
図３は、本実施形態におけるプリンタの機構を示している。図３において、１０１は静電担持体である感光体ドラム、１０２は光源としての半導体レーザ、１０３はスキャナモータ１０４にて回転する回転多面鏡、１０５は半導体レーザ１０２から発射され、感光体ドラム１０１上を走査するレーザビームである。
【００２２】
１０６は感光体ドラム１０１上を一様に帯電するための帯電ローラ、１０７は感光体ドラム１０１上に形成された静電潜像をトナーにて現像するための現像器である。１０８は現像器１０７にて現像されたトナー像を所定の記録材（以後記録用紙、用紙または紙と表記する）に転写するための転写ローラ、１０９は記録用紙に転写されたトナーを熱にて融着するための定着器である。
【００２３】
１１０は記録用紙のサイズを識別する機能を有し、用紙を格納する給紙カセット、１１１は１回転することにより、前記給紙カセット１１０から用紙を給紙し、搬送路に送り出すカセット給紙ローラ、１１２はカセットから給紙された記録用紙を搬送する搬送ローラである。１１３は給紙された用紙の先端と後端を検出するためのプレフィードセンサ、１１４は搬送された用紙を感光体ドラム１０１へ送り込む転写前ローラ、１１５は給紙された用紙に対し、感光体ドラム１０１への画像書き込み（記録／印字）と用紙搬送の同期を取るとともに、給紙された用紙の搬送方向の長さを測定するためのトップセンサである。
【００２４】
１１６は定着後の用紙の有無を検出するための排紙センサ、１１７は定着後の用紙を排紙トレイ１１８へ搬送するための排出ローラ、１１９は排出ローラから搬送された用紙を排紙トレイ１１８へ排出するための排紙ローラ、１２０は定着器より排紙される記録用紙の温度を検出する排紙温度検知センサ、１２１は情報を保存しておく不揮発性メモリである。
【００２５】
図４は、図３で示されるプリンタの機構を制御する制御系の回路構成のブロック図を示している。図４において、２００はプリンタ本体、２０１は不図示のホストコンピュータ等の外部機器から送られる画像コードデータをプリンタの印字に必要なビットデータに展開するとともに、プリンタ内部情報を読み取りそれを表示するためのプリンタコントローラである。２０２は、プリンタエンジンの各部をプリンタコントローラ２０１の指示にしたがってプリント動作制御するとともに、プリンタコントローラ２０１へプリンタ内部情報を報知するためのプリンタエンジン制御部である。２０３は、帯電、現像、転写等各工程における各高圧出力制御をプリンタエンジン制御部２０２の指示にしたがって実行する高圧制御部である。
【００２６】
２０４は、スキャナモータ１０４の駆動／停止、レーザビームの点灯をエンジン制御部２０２の指示にしたがって制御する光学系制御部である。２０５は、定着ヒータへの通電の駆動／停止をプリンタエンジン制御部２０２の指示にしたがって行う定着器制御部である。２０６は、プレフィードセンサ１１４、トップセンサ１１６排紙センサ１１７の紙有無状態とをエンジン制御部２０２へ報知するセンサ入力部である。２０７は、プリンタエンジン制御部２０２の指示にしたがい、記録用紙搬送のためにモータ／ローラ等の駆動／停止を行う用紙搬送制御部であり、図３の給紙ローラ１１１、搬送ローラ１１２、転写前ローラ１１４、定着器１０９のローラ及び排紙ローラ１１９の駆動／停止の制御をつかさどるものである。
【００２７】
図５は第１の実施形態におけるプリンタコントローラの動作を説明するためのフローチャートであり、図６Ａ乃至Ｃは排紙温度検知センサ１２０の概略図であり、図７は排紙温度検知センサ１２０の検出温度波形である。図６より排紙温度検知センサ１２０は、記録材４０２の裏面温度を集熱板金４００を介して集熱板金４００裏に設置されている温度検出サーミスタ４０１で排紙温度を検知する構成となっている。通常、平滑紙（薄紙）は熱がかかりやすいため裏面温度は高くなり、ラフ紙（厚紙）は熱がかかりにくいため裏面温度は低くなる。
【００２８】
図５を用いて、本実施形態のプリンタコントローラの動作を説明する。なお、このプリンタコントローラの動作を制御しているのはＣＰＵ２０２１である。
【００２９】
まず、ステップＳ３０２で電源がＯＮされると、スタンバイ状態を経て（ステップＳ３０３）、ステップＳ３０４においてプリントがスタートする。このプリント動作は、電源ＯＮ時にテストプリントとして実行するようにしても良いし（テストプリントを実行した場合には、ステップＳ３１２以降のプリント動作はプリントジョブの１枚目から最適な定着温度で実行されることになる）、プリントジョブの１枚目に対して紙種判断動作を行い、２枚目以降についてその判断を踏まえてプリント動作（ステップＳ３１２以降）を実行するようにしても良い。後者の場合には、１枚目のプリント動作は最適な定着温度で実行されなくてもよいという考えに基づくものであり、それよりも１枚目のプリントアウトタイムの短縮の方を優先したものである。また、ステップＳ３０４のプリント動作はデフォルトの定着開始温度（厚紙用）で実行される。厚紙用の定着温度をデフォルトとしたのは、厚紙の方が定着温度が平滑紙（薄紙）よりも高く、もしデフォルトが平滑紙用の低い温度であると紙種が厚紙の場合に印刷できなくなってしまうからである。
【００３０】
そして、ステップＳ３０５では、定着器から排紙される記録材４０２の裏面温度を、排紙温度検知センサ１２０の変動した温度レベルを検出する。この時の電圧波形は、図７のようになっており、プリントが開始され記録材４０２の裏面温度を測定すると図に示されるように温度があがっていく。
【００３１】
そして、ステップＳ３０６でプリントが終了すると、処理はステップＳ３０７に移行し、ここでプリント終了直前の記録材裏面温度レベルと予め設定されている閾値との比較を行う。例えば、記録材裏面温度レベルの温度が閾値より高い場合は、記録材４０２が平滑紙（薄紙）であると判断し、逆に閾値より低い場合は、記録材４０２がラフ紙（厚紙）であると判断する。
【００３２】
ステップＳ３０８では、上記判断結果により得られた紙種に関するデータをＣＰＵ２０２１内のメモリ（例えばキャッシュメモリ）２０２２に保存する。そして、紙種が平滑紙である場合には、処理はステップＳ３１０に移行し、ＣＰＵ２０２１内のメモリ２０２２への紙種に関するデータの保存と同時に定着開始温度を低く設定する。
【００３３】
紙種がラフ紙と判断された場合には、処理はステップＳ３１７に移行し、定着開始温度を変更せずデフォルト設定とする。ステップＳ３１０又はＳ３１７で定着開始温度の設定が完了すると、ステップＳ３１１において、スタンバイ状態となる。
【００３４】
そして、定着開始温度設定がテストプリントによって実行される場合には、例えばユーザからの指示を待ってステップＳ３１２のプリント動作がスタートする。一方、定着開始温度設定がプリントジョブの１枚目を用いて実行される場合には、ステップＳ３１１のスタンバイ状態から直ちにステップＳ３１２においてプリント動作がスタートする。
【００３５】
次にステップＳ３１３において、前回の定着開始温度設定を実行した時から今回のプリント動作までの間に、複数の記録材４０２を格納するカセットが抜かれた経歴（履歴：用紙切れで交換した場合等）があるかの確認をＣＰＵ２０２１が行う。カセットが抜かれた場合には、「抜かれた」という情報が例えばＣＰＵ２０２１内のメモリ２０２２に格納されるので、メモリ２０２２をチェックすれば容易にその履歴の有無は確認できる。
【００３６】
カセットが抜かれた履歴がない場合には処理はステップＳ３１４に移行し、抜かれた履歴がある場合には処理はステップＳ３１８に移行する。
【００３７】
ステップＳ３１４において、設定されている定着開始温度でプリントが実行される。つまり、紙種が平滑紙であれば定着開始温度を低く設定した状態で、ラフ紙であれば定着開始温度をデフォルト状態（例えば厚紙用の定着開始温度）でプリントを実行する。図６は、プリント動作と温度との関係を示している。特性Ｌ１は平滑紙の場合のプリント動作時の温度特性を、特性Ｌ２はラフ紙の場合のプリント動作時の温度特性を示している。つまり、紙種が平滑紙の場合には、温度Ｔ１で紙が定着器を通過し、それがプリントジョブの終了まで継続する。ラフ紙の場合には温度Ｔ２で、同様の動作となる。
【００３８】
ステップＳ３１３でカセットが抜かれた経歴があると判断された場合には、検出された紙種からユーザーが変更した可能性がある。そのため、その場合には処理はステップＳ３１８に移行し、メモリ２０２２に保存されている紙種データ（紙種に関する情報）をクリアする。そして、ステップＳ３１９において、定着開始温度をデフォルト状態でプリントを開始し、処理はステップＳ３０５に移行する。そこで再度記録材４０２の裏面温度を測定し、紙種を判断する動作を実行することになる（ステップＳ３０７）。
【００３９】
なお、本実施形態では、排紙温度検知センサ１２０の温度を温度閾値と比較して紙種検知を行っているが、温度を電圧に換算してＣＰＵ２０２１内で電圧比較を行って紙種の判断を行っても良い。
【００４０】
以上のような第１の実施形態によれば、記録紙の排紙温度を検知し、その温度レベルに基づいて記録紙の紙種を判断し、その紙種データ（紙種に関する情報）をＣＰＵ内部のメモリに格納して定着開始温度を紙種データ（紙種に関する情報）に応じて設定するようにしているので、プリントを開始するたびに定着開始温度の設定をする必要が無く、ファーストプリントアウトタイムを短縮することができる。
【００４１】
また、前回の定着温度設定から今回の印刷動作までの間に給紙カセットが抜かれたか否かをチェックし、抜かれたと判断した場合には、デフォルトの温度でプリントを開始し、そのプリント結果を基に再度定着開始温度を設定するようにしているので、給紙カセットが抜かれたとしてもプリントアウトタイムを短く保つとともに、最適な定着開始温度を担保することができる。
【００４２】
さらに、記録紙が平滑紙の場合には、常に厚紙用の高い定着開始温度でプリント動作を実行する必要が無いので、必要以上のエネルギーを使う必要が無く、本発明は省エネルギーの観点からも優れたものである。
【００４３】
＜第２の実施形態＞
第１の実施形態では、検知した紙種をＣＰＵ内のメモリに保存し、カセットが引き抜かれるまでの間検出後の紙種データ（紙種に関する情報）から定着開始温度を設定している。しかし、電源が一旦ＯＦＦされ、その後ＯＮされた場合に、ＣＰＵ２０２１内のメモリ２０２２に格納された紙種データ（紙種に関する情報）はクリアされてしまう。従って、カセットが抜かれなかったとしても、再度紙種判断を行う必要がある。
【００４４】
そこで、第２の実施形態では、ＣＰＵの外部に不揮発性メモリを備え、検知した紙種をその不揮発性メモリ１２１に保存しておくことにより、電源ＯＦＦされその後ＯＮされた場合に最初からその不揮発性メモリ１２１に格納された紙種データ（紙種に関する情報）に応じて定着開始温度を設定することを特徴とする。
【００４５】
なお、第２の実施例でもプリンタ機構（図３）及びプリンタの機構を制御する制御系の回路構成（図４）は適用されるが、第１の実施形態と同じであるのでその説明は省略する。
【００４６】
図９を用いて、第２の実施形態に係るプリンタコントローラの動作を説明する。
【００４７】
ステップＳ６０２で電源がＯＮされた後、ステップＳ６０３において、前回の定着開始温度設定を実行した時から今回のプリント動作までの間に、複数の記録材４０２を格納するカセットが抜かれた経歴（履歴）があるかの確認がなされる。カセットが抜かれた場合には、「抜かれた」という情報が例えば不揮発性メモリ１２１に格納されるので、メモリ１２１をチェックすれば容易にその履歴の有無は確認できる。
【００４８】
カセットが抜かれた履歴がないと判断された場合には、処理はステップＳ６０４に移行し、抜かれた履歴がある場合には、処理はステップＳ６１０に移行する。カセット内の紙種がユーザーによって変更された可能性があるためである。
【００４９】
ステップＳ６０４では、ＣＰＵ２０２１と不揮発性メモリ１２１間で通信を行う。そして、ステップＳ６０５においてＣＰＵ２０２１が不揮発性メモリ１２１から紙種データ（紙種に関する情報）を読み出し、ＣＰＵ２０２１内のメモリ２０２２にその内容を書き込む。一方、ステップＳ６１０では、不揮発性メモリ１２１に保存されている紙種データ（紙種に関する情報）をクリアし、処理はステップＳ６１１に移行する。
【００５０】
ステップＳ６０６では、その紙種データ（紙種に関する情報）が平滑紙を示すか否か判断される。平滑紙を示す場合には処理がステップＳ６０７に移行し、紙種データ（紙種に関する情報）が平滑紙を示さない場合には処理はステップＳ６１１に移行する。
【００５１】
ステップＳ６０７では、定着開始温度は低く設定される。また、ステップＳ６１１では、定着開始温度はデフォルト（例えば、厚紙用定着開始温度）に設定される。このように、カセットの抜き挿し履歴、紙種の判断からの定着開始温度設定等は、ステップＳ６０８のスタンバイ状態になる前に実行される。
【００５２】
初めて電源がＯＮされ不揮発性メモリ１２１内に紙種データ（紙種に関する情報）が保存されていない場合、或いは、カセットが抜かれ不揮発性メモリ１２１内の紙種データ（紙種に関する情報）をクリアした場合には、第１の実施例で述べた排紙裏面温度検知センサ１２０を用いて同様の方法により紙種の判断を行うようにする。
【００５３】
第２の実施形態では、排紙温度検知センサ１２０の温度を温度閾値と比較して紙種検知を行ったが、温度を電圧に換算してＣＰＵ２０２１内で電圧比較を行って紙種判断を行っても良い。
【００５４】
以上のような第２の実施形態によれば、上述の第１の実施形態による効果に加えて、検出した記録材種をＣＰＵ内部のメモリではなく、ＣＰＵ外部の不揮発性メモリに格納し、検知した記録材種に応じた定着開始温度を設定するようにしているので、プリンタの電源が一旦ＯＦＦされ、その後ＯＮされた場合であっても紙種データ（紙種に関する情報）はクリアされずにメモリ内に残っており、単に電源をＯＦＦした場合にも再度定着開始温度の設定をしなければならないという処理を省略することができる。よって、第１の実施形態の場合と異なり、１枚目から最適な定着開始温度でプリントを実行することができる。
【図面の簡単な説明】
【００５５】
【図１】従来例の紙種検知センサ概略図である。
【図２】従来例の紙種検知センサを備えているプリンタの構成を示す図である。
【図３】本発明の第１及び第２の実施形態で共通に適用されるプリンタの構成を示す図である。
【図４】本発明の第１及び第２の実施形態で共通に適用される回路ブロック図である。
【図５】本発明の第１の実施形態の動作を説明するためのフローチャートである。
【図６】本発明の第１及び第２の実施形態に係る排紙温度検知センサ概略図である。
【図７】本発明の第１及び第２の実施形態に係る排紙温度検知センサの検知温度波形である。
【図８】記録材種検知後の定着温調波形を示す図である。
【図９】本発明の第２の実施形態の動作を説明するためのフローチャートである。
【符号の説明】
【００５６】
１２０・・・・排紙裏面温度検知センサ
１２１・・・・不揮発性メモリ
２０１‥‥プリンタコントローラ
２０２‥‥エンジン制御部
２０３‥‥高圧制御部
２０４・・・・光学系制御部
２０５・・・・定着温調制御部
２０６・・・・センサ入力部
２０７・・・・用紙搬送制御部
４００・・・・集熱板金
４０１・・・・サーミスタ
【図１】
2006133310.tif 000003
【図２】
2006133310.tif 000004
【図３】
2006133310.tif 000005
【図４】
2006133310.tif 000006
【図５】
2006133310.tif 000007
【図６】
2006133310.tif 000008
【図７】
2006133310.tif 000009
【図８】
2006133310.tif 000010
【図９】
2006133310.tif 000011